【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
サーバと画像形成装置とを含む画像形成システムであって、
前記サーバは、
外部装置から印刷データの受信を開始し、
前記印刷データの識別情報を前記画像形成装置に送信し、
前記画像形成装置は、
前記サーバが前記印刷データの受信を完了していない状態において、前記識別情報に基づき前記印刷データの画像形成を指示可能な画面を表示し、
ユーザから前記印刷データの画像形成指示を受け付け、
前記サーバに前記印刷データの送信を要求し、
前記サーバは、
前記要求を受け付け、前記印刷データの受信完了後において前記印刷データを前記画像形成装置に送信し、
前記画像形成装置は、
前記印刷データを受信し、
前記印刷データに基づきシートに画像形成を行う
ことを特徴とする画像形成システム。
【請求項２】
前記画像形成装置は、画像形成デバイスを用いてシートに画像形成を行う
ことを特徴とする請求項１に記載の画像形成システム。
【請求項３】
前記画像形成装置は、表示デバイスを用いて前記画面を表示する
ことを特徴とする請求項１に記載の画像形成システム。
【請求項４】
前記画像形成装置は、前記識別情報を含む複数の識別情報のリストを前記サーバから取得する
ことを特徴とする請求項１に記載の画像形成システム。
【請求項５】
前記画像形成装置は、オペレータのユーザ情報を取得し、取得したユーザ情報に基づき識別情報のリストを前記サーバに要求する
ことを特徴とする請求項１に記載の画像形成システム。
【請求項６】
前記画像形成装置は、前記サーバが前記印刷データの受信を完了していない状態において、前記サーバに前記印刷データの送信を要求する
ことを特徴とする請求項１に記載の画像形成システム。
【請求項７】
前記サーバは、前記識別情報を前記外部装置から受信し、その後、前記印刷データを前記外部装置から受信する
ことを特徴とする請求項１に記載の画像形成システム。
【請求項８】
前記サーバは、前記印刷データの受信後、前記印刷データのページ数情報を前記外部装置から受信する
ことを特徴とする請求項１に記載の画像形成システム。
【請求項９】
前記画像形成装置はユーザの指示により、前記識別情報に関する特定のリクエストを送信し、
前記サーバは、前記特定のリクエストを受け付けた際に前記印刷データが受信中の場合は受信をキャンセルし、前記特定のリクエストを受け付けた際に前記印刷データが受信済みの場合は印刷データを削除する
ことを特徴とする請求項１に記載の画像形成システム。
【請求項１０】
前記画面は、前記サーバにおいて印刷データの受信が完了していない第1の印刷ジョブと、前記サーバにおいて印刷データの受信が完了している第2の印刷ジョブが表示されている
ことを特徴とする請求項１に記載の画像形成システム。
【請求項１１】
前記画面は、前記サーバにおいて印刷データの受信が完了していない印刷ジョブと、前記サーバにおいて印刷データの受信が完了している印刷ジョブは識別可能に表示されている
ことを特徴とする請求項１０に記載の画像形成システム。
【請求項１２】
前記画面は、前記第1の印刷ジョブの実行を指示する第1のオブジェクトと、前記第2の印刷ジョブの実行を指示するための第2のオブジェクトを備える
ことを特徴とする請求項１０に記載の画像形成システム。
【請求項１３】
サーバと画像形成装置とを含む画像形成システムであって、
前記サーバは、
外部装置からの印刷データの受信を開始する開始処理と、
前記印刷データの識別情報を前記画像形成装置に送信する第1の送信処理と、
前記識別情報を用いた前記印刷データの送信要求を前記画像形成装置から受け付ける処理と、
前記印刷データの受信完了後において、前記送信要求された前記印刷データを前記画像形成装置に送信する第2の送信処理と、を実行し、
前記画像形成装置は、
前記第1の送信処理により前記サーバから送信された前記識別情報を取得する第1の取得処理と、
前記画面において、前記印刷データに基づく画像形成の指示をユーザから受け付ける処理と、
前記サーバが前記印刷データの受信を完了していない状態において、前記印刷データに基づく画像形成を指示可能な画面を前記第1の取得処理で取得した前記識別情報に基づき表示する表示処理と、
前記指示に基づき前記印刷データを前記サーバに要求する処理と、
前記第2の送信処理で送信された前記印刷データを取得する第2の取得処理と、
前記第2の取得処理で取得した前記印刷データに基づく画像形成をシートに施す処理と、を実行する
ことを特徴とする画像形成システム。
【請求項１４】
前記画像形成装置は、画像形成デバイスを用いてシートに画像形成を行う
ことを特徴とする請求項１３に記載の画像形成システム。
【請求項１５】
前記画像形成装置は、表示デバイスを用いて前記画面を表示する
ことを特徴とする請求項１３に記載の画像形成システム。
【請求項１６】
前記画像形成装置は、前記識別情報を含む複数の識別情報のリストを前記サーバから取得する
ことを特徴とする請求項１３に記載の画像形成システム。
【請求項１７】
前記画像形成装置は、オペレータのユーザ情報を取得し、取得したユーザ情報に基づき識別情報のリストを前記サーバに要求する
ことを特徴とする請求項１３に記載の画像形成システム。
【請求項１８】
前記画像形成装置は、前記サーバが前記印刷データの受信を完了していない状態において、前記サーバに前記印刷データの送信を要求する
ことを特徴とする請求項１３に記載の画像形成システム。
【請求項１９】
前記サーバは、前記識別情報を前記外部装置から受信し、その後、前記印刷データを前記外部装置から受信する
ことを特徴とする請求項１３に記載の画像形成システム。
【請求項２０】
前記サーバは、前記印刷データの受信後、前記印刷データのページ数情報を前記外部装置から受信する
ことを特徴とする請求項１３に記載の画像形成システム。
【請求項２１】
前記画像形成装置はユーザの指示により、前記識別情報に関する特定のリクエストを送信し、
前記サーバは、前記特定のリクエストを受け付けた際に前記印刷データが受信中の場合は受信をキャンセルし、前記特定のリクエストを受け付けた際に前記印刷データが受信済みの場合は印刷データを削除する
ことを特徴とする請求項１３に記載の画像形成システム。
【請求項２２】
前記画面は、前記サーバにおいて印刷データの受信が完了していない第1の印刷ジョブと、前記サーバにおいて印刷データの受信が完了している第2の印刷ジョブが表示されている
ことを特徴とする請求項１３に記載の画像形成システム。
【請求項２３】
前記画面は、前記サーバにおいて印刷データの受信が完了していない印刷ジョブと、前記サーバにおいて印刷データの受信が完了している印刷ジョブは識別可能に表示されている
ことを特徴とする請求項２２に記載の画像形成システム。
【請求項２４】
前記画面は、前記第1の印刷ジョブの実行を指示する第1のオブジェクトと、前記第2の印刷ジョブの実行を指示するための第2のオブジェクトを備える
ことを特徴とする請求項２２に記載の画像形成システム。
【手続補正２】
【補正対象書類名】明細書
【補正対象項目名】０００７
【補正方法】変更
【補正の内容】
【０００７】
上記目的を達成する本発明の画像形成システムは以下に示す構成を備える。
サーバと画像形成装置とを含む画像形成システムであって、前記サーバは、外部装置から印刷データの受信を開始し、前記印刷データの識別情報を前記画像形成装置に送信し、前記画像形成装置は、前記サーバが前記印刷データの受信を完了していない状態において、前記識別情報に基づき前記印刷データの画像形成を指示可能な画面を表示し、ユーザから前記印刷データの画像形成指示を受け付け、前記サーバに前記印刷データの送信を要求し、前記サーバは、前記要求を受け付け、前記印刷データの受信完了後において前記印刷データを前記画像形成装置に送信し、前記画像形成装置は、前記印刷データを受信し、前記印刷データに基づきシートに画像形成を行うことを特徴とする。
【手続補正３】
【補正対象書類名】明細書
【補正対象項目名】０００１
【補正方法】変更
【補正の内容】
【０００１】
本発明は、画像形成システムに関するものである。
【手続補正４】
【補正対象書類名】明細書
【補正対象項目名】発明の名称
【補正方法】変更
【補正の内容】
【発明の名称】画像形成システム